(57)【要約】【課題】大型化を抑制しつつ、駆動電圧の変動を低減することが可能な画像表示器用電源システムを提供する。【解決手段】本発明の一実施形態に係る画像表示器用電源システム１０は、画像表示器５を駆動するための画像表示器用電源システムにおいて、駆動電圧Ｖを生成する電源１２と、電源１２からの駆動電圧Ｖを画像信号Ｓｖｂに応じて画像表示器５に供給する駆動回路１３，１４と、画像信号Ｓｖｂから前記画像表示器の消費電流を予測し、この予測値に応じて、電源１２に対してフィードフォワード制御を行う制御部１６とを備える。【選択図】図１
2009020192.tif 000002
【特許請求の範囲】
【請求項１】
画像表示器を駆動するための画像表示器用電源システムにおいて、
駆動電圧を生成する電源と、
前記電源からの前記駆動電圧を画像信号に応じて前記画像表示器に供給する駆動回路と、
前記画像信号から前記画像表示器の消費電流を予測し、この予測値に応じて、前記電源に対してフィードフォワード制御を行う制御部と、
を備える、
画像表示器用電源システム。
【請求項２】
前記制御部は、予め設定された前記画像表示器の点灯率と消費電流との関係に基づいて、前記画像信号における点灯率情報から前記画像表示器の消費電流を予測する、
請求項１に記載の画像表示器用電源システム。
【請求項３】
前記制御部は、前記画像表示器の１ライン描画毎に前記フィードフォワード制御を行う、
請求項１又は２に記載の画像表示器用電源システム。
【請求項４】
前記制御部は、前記駆動電圧を検出し、前記電源に対してフィードバック制御を更に行う、
請求項１〜３の何れか１項に記載の画像表示器用電源システム。
【請求項５】
前記制御部は、
前記画像信号から前記画像表示器の消費電流を予測する予測部と、
前記予測部からの予測値と前記電源からの前記駆動電圧とを演算する演算部と、
を有し、
前記演算部からの演算結果に応じて、前記電源に対して前記フィードフォワード制御及び前記フィードバック制御を行う、
請求項４に記載の画像表示器用電源システム。
【発明の詳細な説明】
【技術分野】
【０００１】
本発明は、画像表示器を駆動するための電源システムに関するものである。
【背景技術】
【０００２】
自発光の画像表示器では、表示する画像によって消費電流が動的に変化する。消費電流が変化すると、画像表示器用電源システムから供給される駆動電圧が変化し、表示画像がちらつく等の画質の劣化が生じてしまうことがある。そこで、従来の電源システムでは、フォードバック制御（以下、ＦＢ制御という。）により、駆動電圧の変化を検出してこの変化を補正することを行ってきた。
【０００３】
しかしながら、ＦＢ制御の場合、駆動電圧の検出から補正終了までの応答時間が長く、駆動電圧を補正しきれない期間が大きいので、画質の劣化を抑制することが困難であった。この種の問題点に関し、特許文献１には、複数の電源を備えることによって応答速度を速める電源システムが記載されている。
【特許文献１】特開２００６−１７４６７７号公報
【発明の開示】
【発明が解決しようとする課題】
【０００４】
しかしながら、特許文献１に記載の電源システムでは、複数の電源を備えるので、大型且つ高価格なものとなってしまう。
【０００５】
また、電源システムからの駆動電圧の変動を抑制する方法としては、大きなコンデンサを配する方法が従来より知られている。しかしながら、このような電源システムでは、大型且つ高価格なものとなってしまい、また、発音を引き起こしていた。
【０００６】
そこで、本発明は、大型化を抑制しつつ、駆動電圧の変動を低減することが可能な画像表示器用電源システムを提供することを目的としている。
【課題を解決するための手段】
【０００７】
本発明の画像表示器用電源システムは、画像表示器を駆動するための画像表示器用電源システムにおいて、駆動電圧を生成する電源と、電源からの駆動電圧を画像信号に応じて画像表示器に供給する駆動回路と、画像信号から画像表示器の消費電流を予測し、この予測値に応じて、電源に対してフィードフォワード制御を行う制御部とを備える。
【０００８】
この画像表示器用電源システムによれば、制御部が、電源の電流変化を引き起こす外乱要因である画像信号に応じてフィードフォワード制御を行うので、電流変化前より電源から出力される駆動電圧の制御を始めることができる。その結果、電流変化に起因する駆動電圧の変動を低減することができる。そのために、この画像表示器用電源システムでは、駆動電圧の安定化のために大きなコンデンサや複数の電源を設ける必要がなく、大型化を抑制することができる。
【０００９】
画像表示器では、画像信号に含まれる画像データに応じて表示デバイスが駆動し、消費電流はこの表示デバイスの個数や輝度などに依存する。これによれば、画像信号から画像表示器の消費電流を予測することができ、この予測値に応じてフィードフォワード制御を行うことによって、電流変化に起因する駆動電圧の変動を適切に低減することができる。
【００１０】
また、上記した制御部は、予め設定された画像表示器の点灯率と消費電流との関係に基づいて、画像信号における点灯率情報から画像表示器の消費電流を予測することが好ましい。
【００１１】
フィードフォワード制御では、外乱要因の選定とその影響を明確にしたモデルの構築が重要となる。表示画像によって消費電流が変化する画像表示器の場合、表示画像の情報を含む画像信号が外乱要因であるので、この画像信号における点灯率情報（点灯する表示デバイスの個数や輝度などの情報）と画像表示器の消費電流との関係をモデル化することができる。このモデルを用いれば、画像信号における点灯率情報から画像表示器の消費電流を予測することができ、この予測値に応じてフィードフォワード制御を行うことによって、電流変化に起因する駆動電圧の変動を適切に低減することができる。
【００１２】
また、上記した制御部は、画像表示器の１ライン描画毎にフィードフォワード制御を行うことが好ましい。この様にライン毎にフィードフォワード制御を行うことにより、消費電流のライン毎の変化に対応して、より早く最適な制御を可能とする。
【００１３】
また、上記した制御部は、駆動電圧を検出し、電源に対してフィードバック制御を更に行うことが好ましい。
【００１４】
フィードバック制御は、応答速度が遅い反面、精度が高いという利点を有している。一方、フィードフォワード制御は、比較的精度が低い反面、応答速度を速められるという利点を有する。したがって、フィードフォワード制御とフィードバック制御とを共に行えば、フィードフォワード制御によって画像表示器の点灯時の駆動電圧の変動を低減することができ、その後の点灯中においては、フィードバック制御によって駆動電圧の安定化の精度を高めることができる。
【００１５】
また、上記した制御部は、画像信号から画像表示器の消費電流を予測する予測部と、予測部からの予測値と電源からの駆動電圧とを演算する演算部とを有し、演算部からの演算結果に応じて、電源に対してフィードフォワード制御及びフィードバック制御を行うことが好ましい。
【００１６】
この構成によれば、フィードフォワード制御とフィードバック制御との両立を容易に行うことができる。
【発明の効果】
【００１７】
本発明によれば、画像表示器用電源システムの大型化を抑制しつつ、駆動電圧の変動を低減することができる。
【発明を実施するための最良の形態】
【００１８】
以下、図面を参照して本発明の好適な実施形態について詳細に説明する。なお、各図面において同一又は相当の部分に対しては同一の符号を附すこととする。
【００１９】
図１は、本発明の実施形態に係る画像表示システムを示す回路図である。図１に示す画像表示システム１は、画像表示器５と電源システム１０とを備えている。
【００２０】
画像表示器５は、例えば、自発光の有機ＥＬディスプレイである。この場合は表示デバイスに有機ＥＬ素子を用いる。画像表示器５は、水平方向×垂直方向でＭ×Ｎ個の画素（Ｍ、Ｎは、それぞれ２以上の整数）が２次元配列された画素構造を有している。画像表示器５に対し、垂直方向に延びる垂直電極（Ｃ１〜Ｃ９：図２参照）が、水平方向にＭライン配列されて設けられている。また、画像表示器５に対し、水平方向に延びる水平電極（Ｒ１〜Ｒ９：図２参照）が、垂直方向にＮライン配列されて設けられている。これらの垂直電極及び水平電極は、電源システム１０に接続されている。ここで、画像表示器５では、垂直電極と水平電極との交点が発光点となることにより、Ｍ×Ｎ個の画素構造が構成されている。
【００２１】
図２は、画像表示器５の周辺回路を示す回路図である。後述する垂直電極用駆動回路１３は、駆動電圧Ｖが入力される駆動回路本体部１３Ａと、各垂直電極Ｃ１〜Ｃ９にそれぞれ接続されたスイッチ素子群１３Ｂ（スイッチ素子ＳＣ１〜ＳＣ９）とを有している。後述する水平電極用駆動回路１４は、駆動電圧Ｖが入力される駆動回路本体部１４Ａと、各水平電極Ｒ１〜Ｒ９にそれぞれ接続されたスイッチ素子群１４Ｂ（スイッチ素子ＳＲ１〜ＳＲ９）とを有している。
【００２２】
駆動回路本体部１３Ａ，１４Ａは、入力された駆動電圧Ｖに応じて、スイッチ素子群１３Ｂ，１４Ｂを介して各電極Ｃ１〜Ｃ９，Ｒ１〜Ｒ９に与える画素駆動電圧を生成する。また、駆動回路本体部１３Ａ，１４Ａは、画像信号Ｓｖｂ通りの画像が画像表示器５上に表示されるようなスイッチング制御信号を生成し、このスイッチング制御信号を、それぞれのスイッチ素子ＳＣ１〜ＳＣ９，ＳＲ１〜ＳＲ９に与える。
【００２３】
すなわち、水平電極（画素行）Ｒ１〜Ｒ９には、画像信号Ｓｖｂに含まれる水平同期信号が、水平電極Ｒ１〜Ｒ９毎に順次与えられ、水平電極Ｒ１〜Ｒ９が時系列に選択される。垂直電極（画素列）Ｃ１〜Ｃ９には、画像信号Ｓｖｂに含まれるデータ信号（垂直同期信号）が順次与えられ、このデータ信号がＯＮを意味する場合には、該当する垂直電極の電位がハイレベルとされ、この垂直電極が選択される。
【００２４】
図３は、画像信号及び各電極電圧の一例を示すタイミングチャートである。例えば、水平同期信号に応じて水平電極Ｒ１〜Ｒ９が順次に選択される。時刻ｔ１において、ｎ−１行目の水平電極Ｒｎ−１が選択された場合に、時刻ｔ０において入力された画像信号に応じて左端から１番目、２番目、６番目の垂直電極にＯＮ信号が与えられ、これらの垂直電極Ｃ１，Ｃ２，Ｃ６が選択された場合には、これらの電極の交点に位置する画素が発光する。
【００２５】
次の時刻ｔ２において、ｎ行目の水平電極Ｒｎが選択された場合に、時刻ｔ１において入力された画像信号に応じて左端から１番目、２番目の垂直電極にＯＮ信号が与えられ、これらの垂直電極Ｃ１，Ｃ２が選択された場合には、これらの電極の交点に位置する画素が発光する。
【００２６】
更に次の時刻ｔ３において、ｎ＋１行目の水平電極Ｒｎ＋１が選択された場合に、時刻ｔ２において入力された画像信号に応じて左端から１〜９番目の垂直電極の全てにＯＮ信号が与えられ、これらの垂直電極Ｃ１〜Ｃ９が選択された場合には、これらの電極の交点に位置する画素が発光する。
【００２７】
なお、図３では、後述する陰極リセット期間が省略されている。
【００２８】
再び図１を参照し、電源システム１０は、画像表示器５、具体的にはＭラインの垂直電極及びＮラインの水平電極にそれぞれ駆動電圧Ｖを供給する。電源システム１０は、画像変換部（コントローラ）１１と、電源１２と、垂直電極用駆動回路１３と、水平電極用駆動回路１４と、電圧検出部１５と、制御部１６とを備えている。
【００２９】
画像変換部１１は、水平同期信号及びデータ転送のためのデータ信号を有する画像信号Ｓｖａを受け、有機ＥＬディスプレイのための方式の画像信号Ｓｖｂに変換し、垂直電極用駆動回路１３、水平電極用駆動回路１４及び制御部１６へそれぞれ供給する。
【００３０】
電源１２は、商用電源からの交流電力やバッテリからの直流電力などを変換して駆動電圧Ｖを生成する。電源１２は、制御部１６からの制御信号Ｓｃに応じて駆動電圧Ｖを安定化し、この駆動電圧Ｖを垂直電極用駆動回路１３及び水平電極用駆動回路１４へそれぞれ供給する。
【００３１】
垂直電極用駆動回路１３は、画像変換部１１からの画像信号Ｓｖｂに応じて、具体的には画像信号Ｓｖｂにおける垂直同期信号に応じて、電源１２からの駆動電圧ＶをＭラインの垂直電極それぞれに供給する。
【００３２】
水平電極用駆動回路１４は、画像変換部１１からの画像信号Ｓｖｂに応じて、具体的には画像信号Ｓｖｂにおける水平同期信号と画像データに応じて、電源１２からの駆動電圧ＶをＮラインの水平電極それぞれに供給する。
【００３３】
電圧検出部１５は、電源１２からの駆動電圧Ｖを検出し、駆動電圧Ｖの電圧値に応じた値を有するフィードバック信号（以下、ＦＢ信号という。）Ｓｆｂを制御部１６へ出力する。
【００３４】
制御部１６は、電圧検出部１５からのＦＢ信号Ｓｆｂに応じて電源１２の駆動電圧Ｖを安定化するための制御信号Ｓｃを生成し、フィードバック制御（以下、ＦＢ制御という。）を行う。また、制御部１６は、画像変換部１１からの画像信号Ｓｖｂを受け、この画像信号Ｓｖｂに応じて制御信号Ｓｃを変更して、フィードフォワード制御（以下、ＦＦ制御という。）を行う。制御部１６は、消費電流予測部２１と演算部２２とを有している。
【００３５】
消費電流予測部２１は、画像変換部１１からの画像信号Ｓｖｂから、画像表示器５で消費される消費電力を予想し、この予想値に応じたフィードフォワード信号（以下、ＦＦ信号という。）Ｓｆｆを演算部２２へ出力する。具体的には、消費電流予測部２１は、画像信号Ｓｖｂにおけるデータ信号、すなわち垂直同期信号に従って転送される画像データを加算し、総和を求める。本実施形態では、消費電流予測部２１はカウンタであり、画像信号Ｓｖｂにおけるデータ信号のパルス数（画像データ数）をカウントする。このカウント値に応じてＦＦ制御が行われる。
【００３６】
ＦＦ制御では、外乱要因の選定とその影響を明確にしたモデルの構築が重要となる。表示画像によって消費電流が変化する画像表示器５の場合、表示画像の情報を含む画像信号Ｓｖｂが外乱要因であるので、この画像信号Ｓｖｂにおける点灯率情報（点灯する表示デバイスの個数や輝度などの情報）と画像表示器５の消費電流との関係をモデル化することができる。本実施形態では、消費電流予測部２１は、対象画像での画像表示デバイスの点灯率と１画素あたりの消費電流との関係を、予め実験やシミュレーションなどによって求めて記憶している。消費電流予測部２１は、このモデルを用いて、画像信号Ｓｖｂにおける点灯率情報に対応した消費電流を予測し、この予測値に応じてＦＦ信号Ｓｆｆを生成する。
【００３７】
このようにして、消費電流予測部２１は、画像信号Ｓｖｂにおけるデータ信号のパルス数（画像データ数）から発光する画素数（点灯率）を予想し、予め設定されたモデル（画像表示器の点灯率と消費電流との関係）に基づいて、画像表示器５のラインごとの消費電力を予想することができる。
【００３８】
演算部２２は、本実施形態では比例（Ｐ）制御を行う。すなわち、演算部２２は、電源１２からのＦＢ信号Ｓｆｂと消費電流予測部２１とからのＦＦ信号Ｓｆｆとをそれぞれ定数倍し、これらを加算して制御信号Ｓｃを生成する。
【００３９】
なお、演算部２２における定数倍の値は、電源１２の特性や画像表示器５の特性により定められればよく、更にＦＦ制御の応答時間を考慮して定められてもよい。ＦＦ制御の応答時間は、水平同期信号をトリガーとして行われる画像表示器５の陰極リセット期間以内であることが好ましい。ここでの陰極リセット期間とはＰＭ（パッシブマトリクス）方式有機ＥＬディスプレイにおいてクロストークを抑えるため水平同期信号に同期して有機ＥＬ素子の寄生容量に貯まった電荷量を任意の値にリセットするために設けられた期間の事である。
【００４０】
また、演算部２２における定数倍の値は、水平同期信号が発せられたときから次第に変化させてもよい。
【００４１】
次に、本実施形態の画像表示システム１及び電源システム１０の動作を説明する。本実施形態では、説明の簡略化のために、画像表示器５は、有機ＥＬディスプレイとし、２階調方式及びＰＭ（パッシブマトリクス）方式を採用することとする。ＰＭ方式のため、電源制御は1ライン毎の点灯率に従って行われる。また、画像信号における水平同期信号は、Ｎラインのデータ転送、すなわちデータ信号に先立って発生する。
【００４２】
まず、ｎ番目のＮラインのための画像信号Ｓｖａ（ｎ）が入力されると、画像変換部１１によって画像信号Ｓｖｂ（ｎ）に変換されて、画像変換部１１から垂直電極用駆動回路１３、水平電極用駆動回路１４及び制御部１６へ水平同期信号が発せられる。このとき、画像表示器５では陰極リセットが開始される。
【００４３】
（ｎ−１番目のＮラインのための駆動電圧調整）
また、消費電流予測部２１が、保持していたＦＦ信号であって、ｎ−１番目のＮラインのための画像信号Ｓｖｂ（ｎ−１）におけるデータ信号に応じたＦＦ信号Ｓｆｆ（ｎ−１）を出力し始める。すると、演算部２２が、ＦＢ信号ＳｆｂとＦＦ信号Ｓｆｆ（ｎ−１）とをそれぞれ定数倍した後に加算して、ｎ−１番目のＮラインのための制御信号Ｓｃ（ｎ−１）を出力する。その後、電源１２は、ｎ−１番目のＮラインの画素が点灯しても所望の駆動電圧を保持できるように、制御信号Ｓｃに応じて駆動電圧Ｖを調整する。
【００４４】
（ｎ−１番目のＮラインの画像点灯）
次に、所定の陰極リセット期間が経過すると、画像表示器５が陰極リセットを終了し、水平電極用駆動回路１４が、画像信号Ｓｖｂ（ｎ−１）における水平同期信号に応じて、ｎ−１番目のＮラインに駆動電圧Ｖを供給すると共に、垂直電極用駆動回路１３が、画像信号Ｓｖｂ（ｎ−１）におけるデータ信号に応じて、Ｍラインにおける対応ラインに駆動信号Ｖを提供する。すると、ｎ−１番目のＮラインにおける所望の画素が発光する。
【００４５】
このとき、既に、データ信号が示すｎ−１番目のＮラインの点灯率に応じて消費電流を予想し、ＦＦ制御によって画像駆動電圧Ｖが予め調整されているので、ｎ−１番目のＮラインの画素が点灯することによって電源１２からの出力電流が変動しても、駆動電圧Ｖが所望の電圧より低下することがない。
【００４６】
（ｎ番目のＮラインの電流予想）
次に、画像変換部１１から垂直電極用駆動回路１３、水平電極用駆動回路１４及び制御部１６へデータ信号が発せられると、消費電流予測部２１は、保持していた値をリセットし、ｎ番目のＮラインのための画像信号Ｓｖｂ（ｎ）におけるデータ信号のパルス数（画像データ数）を加算して総和を求めることによって、ｎ番目のＮラインにおける発光する画素数（点灯率）を予想する。そして、消費電流予測部２１は、予め設定されたモデル（画像表示器の点灯率と消費電流との関係）に基づいてｎ番目のＮラインの消費電力を予想し、この予想値に応じたＦＦ信号Ｓｆｆ（ｎ）を求める。なお、消費電流予測部２１は、まだＦＦ信号Ｓｆｆ（ｎ）を出力せずに保持する。
【００４７】
（ｎ番目のＮラインのための駆動電圧調整）
次に、ｎ＋１番目のＮラインのための画像信号Ｓｖａ（ｎ＋１）が入力されると、画像変換部１１によって画像信号Ｓｖｂ（ｎ＋１）に変換されて、画像変換部１１から垂直電極用駆動回路１３、水平電極用駆動回路１４及び制御部１６へ水平同期信号が発せられる。このとき、画像表示器５では陰極リセットが開始される。また、消費電流予測部２１が、保持していたＦＦ信号Ｓｆｆ（ｎ）を出力し始める。
【００４８】
すると、演算部２２が、比例（P）制御により、ＦＢ信号ＳｆｂとＦＦ信号Ｓｆｆ（ｎ）とをそれぞれ定数倍した後に加算して、ｎ番目のＮラインのための制御信号Ｓｃ（ｎ）を出力する。その後、電源１２は、ｎ番目のＮラインの画素が点灯しても所望の駆動電圧を保持できるように、制御信号Ｓｃに応じて駆動電圧Ｖを調整する。
【００４９】
（ｎ番目のＮラインの画像点灯）
次に、所定の陰極リセット期間が経過すると、画像表示器５が陰極リセットを終了し、水平電極用駆動回路１４が、画像信号Ｓｖｂ（ｎ）における水平同期信号に応じて、ｎ番目のＮラインに駆動電圧Ｖを供給すると共に、垂直電極用駆動回路１３が、画像信号Ｓｖｂ（ｎ）におけるデータ信号に応じて、Ｍラインにおける対応ラインに駆動信号Ｖを提供する。すると、ｎ番目のＮラインにおける所望の画素が発光する。
【００５０】
このとき、既に、データ信号が示すｎ番目のＮラインの点灯率に応じて消費電流を予想し、ＦＦ制御によって画像駆動電圧Ｖが調整されているので、ｎ番目のＮラインの画素が点灯することによって電源１２からの出力電流が変動しても、駆動電圧Ｖが所望の電圧より低下することがない。
【００５１】
電源システム１０は、上記した（ｎ番目のＮラインの電流予想）、（ｎ番目のＮラインのための駆動電圧調整）、（ｎ番目のＮラインの画像点灯）を各Ｎラインに対して順に繰り返すこととなる。
【００５２】
このように、本実施形態の電源システム１０によれば、制御部１６が、電源の電流変化を引き起こす外乱要因である画像信号Ｓｖｂに応じてＦＦ制御を行うので、電流変化前より電源１２から出力される駆動電圧Ｖの制御を始めることができる。その結果、電流変化に起因する駆動電圧Ｖの変動を低減することができる。そのために、この画像表示器用電源システム１０では、駆動電圧Ｖの安定化のために大きなコンデンサや複数の電源を設ける必要がなく、大型化を抑制することができる。また、発音を抑制することができる。
【００５３】
また、本実施形態の電源システム１０によれば、ＦＦ制御とＦＢ制御とを両立するので、ＦＦ制御によって画像表示器５の点灯時の駆動電圧Ｖの変動を低減することができ、その後の点灯中においては、ＦＢ制御によって駆動電圧Ｖの安定化の精度を高めることができる。
【００５４】
なお、本発明は上記した本実施形態に限定されることなく種々の変形が可能である。例えば、消費電流予測部２１は、画像変換部１１の前の画像信号Ｓｖａから消費電流を予想してもよいし、画像変換部１１における変換途中の信号から消費電流を予想してもよい。
【００５５】
また、制御部１６の構成は変形が可能である。
【００５６】
図４は、変形例に係る制御部１６Ａの回路図である。上述の実施形態では、画像変換部１１は、画像信号Ｓｖａを受信して画像信号Ｓｖｂに変換し、この画像信号Ｓｖｂを消費電流予測部２１に入力した。本変形例では、消費電流予測部２１には画像変換部１１の前段側の画像信号Ｓｖａを入力している。これによっても、消費電流予測部２１は、画像信号Ｓｖａに含まれるデータ信号に応じて画像表示器５の消費電流を予測し、この予測値に応じてＦＦ信号Ｓｆｆを生成することができる。なお、消費電流予測部２１からのＦＦ信号Ｓｆｆの出力タイミングが、上述の実施形態よりも早くなっているため、画像変換部１１から画像信号Ｓｖｂが出力されたときと同じタイミングで、ＦＦ信号Ｓｆｆが演算部２２に入力されるように、消費電流予測部２１と演算部２２との間に遅延部２３を設けることとした。この構造においても、上記実施形態と同様の作用を奏することができる。
【００５７】
図５は、別の変形例に係る制御部１６Ａの回路図である。本例では、画像変換部１１の内部における適当な信号Ｓｖｃを消費電流予測部２１に入力している。信号Ｓｖｃは、例えば画像信号Ｓｖａ，Ｓｖｂに同期する画像変換部１１の内部信号であり、この信号Ｓｖｃも実体的には、画像信号Ｓｖｂと等価なものであるため、上記実施形態と同様の作用を奏することができる。
【００５８】
また、本実施形態では、画像表示器５として有機ＥＬディスプレイを駆動する電源システムを例示したが、他にも様々な画像表示デバイスを駆動する電源システムに本発明を適用することが可能である。
【００５９】
また、本実施形態では、画像表示器５として２階調方式のディスプレイを駆動する電源システムを例示したが、モノクロディスプレイに限られることなくカラーディスプレイを駆動する電源システムに本発明を適用することが可能である。例えば、ＰＡＭ方式ディスプレイを駆動するためには、消費電流予測部２１は、各画像データの諧調値の総和を求めて消費電流を予想すればよいし、ＰＷＭ方式ディスプレイを駆動するためには、パルス幅制御間隔ごとに総和を求めて消費電流を予想すればよい。
【００６０】
また、本実施形態では、画像表示器５としてＰＭ方式のディスプレイを駆動する電源システムを例示したが、ＡＭ方式のディスプレイを駆動する電源システムに本発明を適用することが可能である。この場合、消費電流予測部２１は、一度に書き換える単位（ドット、ライン、フレームｅｔｃ）ごとに総和を求めて消費電流を予想すればよい。
【図面の簡単な説明】
【００６１】
【図１】本発明の実施形態に係る画像表示システム及び電源システムを示す回路図である。
【図２】画像表示器の周辺回路を示す回路図である。
【図３】画像信号及び各電極電圧の一例を示すタイミングチャートである。
【図４】変形例に係る制御部の回路図である。
【図５】別の変形例に係る制御部の回路図である。
【符号の説明】
【００６２】
１…画像表示システム、５…画像表示器、１０…画像表示器用電源システム、１１…画像変換部、１２…電源、１３…垂直電極用駆動回路、１４…水平電極用駆動回路、１３Ａ，１４Ａ…駆動回路本体部、１３Ｂ，１４Ｂ…スイッチ素子群、１５…電圧検出部、１６，１６Ａ…制御部、２１…消費電流予測部、２２…演算部、２３…遅延部。
【図１】
2009020192.tif 000003
【図２】
2009020192.tif 000004
【図３】
2009020192.tif 000005
【図４】
2009020192.tif 000006
【図５】
2009020192.tif 000007